(57)【要約】【課題】専用のスイッチを実装することなく、無線ＬＡＮの動作モードを切り替える。【解決手段】放送データを受信するとともに、該放送データを無線ＬＡＮによって送信する無線通信装置は、無線通信装置の電源をオンオフする電源スイッチと、複数の動作モードにしたがって動作する無線ＬＡＮモジュールと、電源スイッチに対してオンにする操作が行われ続けた継続時間を計測し、該継続時間に基づいて、無線ＬＡＮモジュールの動作モードを設定する制御部とを有する。【選択図】図４
2016015635.tif 000002
【特許請求の範囲】
【請求項１】
放送データを受信するとともに、該放送データを無線ＬＡＮによって送信する無線通信装置であって、
無線通信装置の電源をオンオフする電源スイッチと、
複数の動作モードにしたがって動作する無線ＬＡＮモジュールと、
前記電源スイッチに対してオンにする操作が行われ続けた継続時間を計測し、該継続時間に基づいて、前記無線ＬＡＮモジュールの動作モードを設定する制御部と
を有する、無線通信装置。
【請求項２】
前記無線ＬＡＮモジュールは、ピアツーピアモード、又はアクセスポイントモードにしたがって動作し、
前記制御部は、前記継続時間に基づいて、前記ピアツーピアモード、又は前記アクセスポイントモードに設定する、請求項１に記載の無線通信装置。
【請求項３】
放送データを受信するとともに、該放送データを無線ＬＡＮによって送信する無線通信装置が実行する無線通信方法であって、
無線通信装置は、
前記無線通信装置の電源をオンオフする電源スイッチと、
複数の動作モードにしたがって動作する無線ＬＡＮモジュールと
を有し、
前記無線通信装置は、
前記電源スイッチに対してオンにする操作が行われ続けた継続時間を計測し、
該継続時間に基づいて、前記無線ＬＡＮモジュールの動作モードを設定する、無線通信方法。
【発明の詳細な説明】
【技術分野】
【０００１】
本発明は、無線通信システムに関する。
【背景技術】
【０００２】
地上アナログテレビ放送終了後に空いたＶＨＦ帯の周波数のうち、９０ＭＨｚ−１０８ＭＨｚは、Ｖ−ＬＯＷ帯と呼ばれている。このＶ−ＬＯＷ帯のうち９９ＭＨｚ−１０８ＭＨｚの周波数帯を利用して地方ブロック別にマルチメディア放送を行うことが予定され、このマルチメディア放送はＶ−ＬＯＷマルチメディア放送と呼ばれる。
【０００３】
Ｖ−ＬＯＷマルチメディア放送では、地上デジタルラジオ放送が行われる。地上デジタルラジオ放送は、「ワンセグ」と同じく１セグメントを使用した音声・データ放送、及び２セグメントを使用した拡張データ放送の、合計３セグメントの帯域を使用してサービスを提供するため「３セグ」とも呼ばれる。
【０００４】
将来的には、携帯端末等の情報通信装置は、ワンセグ、及び３セグ対応になることが想定される。しかし、現状では、ワンセグ対応の情報通信装置が主流である。そこで、ワンセグとＶ−ＬＯＷマルチメディア放送の受信機能と無線ＬＡＮ機能を有し、ワンセグ又はＶ−ＬＯＷマルチメディア放送のＴＳ(Transport Stream)データを無線ＬＡＮを使用して、情報通信装置へデータ転送を行う無線通信装置の開発が進められている。この無線通信装置と情報通信装置との間は、無線ＬＡＮの複数の動作モードのうち、いずれかの動作モードで接続される。
【０００５】
無線ＬＡＮの動作モードをスライドスイッチによって切り替える技術が知られている（例えば、非特許文献１参照）。
【先行技術文献】
【非特許文献】
【０００６】
【非特許文献１】「ＥＬＥＣＯＭ  製品Ｑ＆Ａ  Ｑ．［ＷｉＦｉルータ］ＡＰ（アクセスポイント）モードで使用したい／制限事項を知りたい」［平成２６年  ６月２４日検索］、インターネット＜ＵＲＬ：ｈｔｔｐ：／／ｑａ．ＥＬＥＣＯＭ．ｃｏ．ＪＰ／ｆａｑ＿ｄｅｔａｉｌ．ｈｔｍｌ？ＩＤ＝４０７３＆ｃａｔｅｇｏｒｙ＝＆ｐａｇｅ＝１＞
【発明の概要】
【発明が解決しようとする課題】
【０００７】
無線通信装置に実装された専用のスイッチによって無線ＬＡＮの動作モードが切り替えられるため、専用のスイッチの実装上の制約があるとともに、専用のスイッチを実装するため、コストが増加する。
【０００８】
また、ＵＳＢ（Universal Serial Bus）等の外部インターフェースによって、無線通信装置とＰＣとの間を接続し、無線通信装置の起動の後に、専用のアプリケーションで無線ＬＡＮの動作モードを切り替えることも行われている。しかし、この場合、インターフェースの実装上の制約があるとともに、インターフェースやアプリケーションが必要となるため、コストが増加する。
【０００９】
そこで、本発明は、専用のスイッチを実装することなく、無線ＬＡＮの動作モードを切り替えることを目的とする。
【課題を解決するための手段】
【００１０】
開示の一実施例の無線通信装置は、
放送データを受信するとともに、該放送データを無線ＬＡＮによって送信する無線通信装置であって、
無線通信装置の電源をオンオフする電源スイッチと、
複数の動作モードにしたがって動作する無線ＬＡＮモジュールと、
前記電源スイッチに対してオンにする操作が行われ続けた継続時間を計測し、該継続時間に基づいて、前記無線ＬＡＮモジュールの動作モードを設定する制御部と
を有する。
【発明の効果】
【００１１】
開示の実施例によれば、専用のスイッチを実装することなく、無線ＬＡＮの動作モードを切り替えることができる。
【図面の簡単な説明】
【００１２】
【図１】無線通信システムの一実施例を示す図である。
【図２】中継装置のハードウエア構成の一実施例を示す図である。
【図３】情報通信装置のハードウエア構成の一実施例を示す図である。
【図４】中継装置の一実施例を示す機能ブロック図である。
【図５】中継装置の状態遷移の一例を示す図である。
【図６】情報通信装置の一実施例を示す機能ブロック図である。
【図７】中継装置の動作の一実施例を示すフローチャートである。
【図８】無線通信システムの動作の一実施例（その１）を示すシーケンスチャートである。
【図９】無線通信システムの動作の一実施例（その２）を示すシーケンスチャートである。
【図１０】無線通信システムの動作の一実施例（その３）を示すシーケンスチャートである。
【発明を実施するための形態】
【００１３】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１４】
＜実施例＞
＜無線通信システム＞
図１は、無線通信システムの一実施例を示す。
【００１５】
無線通信システムは、中継装置１００と、情報通信装置２００とを有する。中継装置１００は、放送局３００から無線送信される放送波をスキャンし、所望の放送波の受信を開始し、トランスポートストリーム(Transport Stream：TS)の復調を行う。中継装置１００は、無線通信装置の一例である。放送局３００からは、地上デジタルラジオ放送で採用されたＩＳＤＢ−Ｔｓｂ(Integrated Services Digital Broadcasting-Terrestrial for Sound Broadcasting)で、Ｖ−ＬＯＷ帯を使用して、１セグ、及び３セグ放送が行われる。
【００１６】
中継装置１００は、放送波を復調するとともに、その復調によって得られるＴＳデータフレームを暗号化し、ＵＤＰ(User Datagram Protocol)パケットに変換し、無線ＬＡＮによって情報通信装置２００へ送信する。
【００１７】
情報通信装置２００は、例えば、携帯端末、携帯電話、スマートフォン等を適用できる。情報通信装置２００は、無線基地局４００と通信を行い、無線基地局４００等から構成される３Ｇ、ＬＴＥ（Long  Term  Evolution）等の移動体通信網を介してネットワーク５００に接続している。情報通信装置２００は、中継装置１００から無線送信されるＵＤＰパケットを受信し、１セグ、及び３セグ放送のいずれか又は両方を再生する。
【００１８】
無線ＬＡＮには、無線ＬＡＮのアクセスポイントとして機能するアクセスポイントモード（以下、「ＡＰモード」という）、無線ＬＡＮ機能が搭載されている携帯端末、携帯電話、スマートフォン等などの機器同士を無線で直接つなげるピアツーピアモード等の複数の動作モードがある。また、情報通信装置２００には、ＡＰモードで中継装置１００と接続した状態で移動体通信網を介した通信ができるものと、ピアツーピアモードで中継装置１００と接続した状態で移動体通信網を介した通信ができるものが存在する。そこで、中継装置１００は、接続する情報通信装置に応じて、ＡＰモードと、ピアツーピアモードとの間で動作モードを切り替える。
【００１９】
図1に示される中継装置１００には、後述する電源スイッチ１０８が示されている。
【００２０】
＜中継装置１００のハードウェア構成＞
図２は、本実施形態に係る中継装置１００のハードウェア構成図である。図２に示されているように、本実施形態に係る中継装置１００は、中継装置１００全体の動作を制御するＣＰＵ(Central Processing Unit)１０６、及びＣＰＵ１０６の駆動に用いられる中継装置用プログラムを記憶したフラッシュメモリ等のメモリ１１０を備える。また、ＣＰＵ１０６の制御にしたがってデータの読み出し又は書き込みを行う不揮発性メモリであれば、フラッシュメモリに限らず、メモリ１１０として、ＥＥＰＲＯＭ（Electrically Erasable and Programmable ROM）等を用いてもよい。さらに、ＣＰＵ１０６には、ＣＰＵ１０６のワークエリアとして使用されるＲＡＭ(Random Access Memory)（図示無し）を内蔵する。
【００２１】
また、中継装置１００は、放送局３００から送信される放送波を受信する第１のアンテナ１０２、及び第１のアンテナ１０２と接続され、第１のアンテナ１０２によって受信された放送波に同調し、復調するチューナＩＣ１０４を備える。第１のアンテナ１０２は、ロッドアンテナ等の伸縮可能な棒状アンテナを適用できる。
【００２２】
また、中継装置１００は、中継装置１００の電源をオン又はオフに切り替えるための電源スイッチ１０８を備える。電源スイッチ１０８は、押すたびにオンとオフが反転する位置保持型スイッチを適用できる。例えば、電源スイッチ１０８は、電源ボタン等の押すことでスイッチをオンオフするものを適用できる。
【００２３】
また、中継装置１００は、無線ＬＡＮモジュール１１２、及び第２のアンテナ１１４を備える。無線ＬＡＮモジュール１１２は、ＩＥＥＥ８０２．１１ｂ，ｇ，ｎ等のＩＥＥＥ８０２．１１シリーズに準拠するとともに、複数の動作モードをサポートする。複数の動作モードをサポートすることによって、様々な機器と接続できる。無線ＬＡＮモジュール１１２は、ＣＰＵ１０６からの制御信号によって複数の動作モードのいずれかに切り替える。複数の動作モードには、ピアツーピアモード、及びＡＰモードが含まれる。ピアツーピアモードとしては、例えばＷｉＦｉダイレクトモードがある。
【００２４】
ＷｉＦｉダイレクトモードは、Ｗｉ−Ｆｉ  Ａｌｌｉａｎｃｅ（ワイファイ アライアンス）と呼ばれる業界団体によって決められた無線ＬＡＮの規格であり、無線ＬＡＮアクセスポイントや無線ＬＡＮルータ等を介さずに、機器同士が一対一(ピアツーピア)で直接通信する動作モードである。ＷｉＦｉダイレクトモードでは、無線ＬＡＮモジュール１１２にアクセスポイントとしての機能させることもできる。無線ＬＡＮモジュール１１２がＷｉＦｉダイレクトに対応することによって、情報通信装置２００がＷｉＦｉダイレクトに対応していなくても、無線ＬＡＮモジュール１１２をアクセスポイントとして接続して通信することができる場合がある。
【００２５】
ＡＰモードは、ルータ機能を停止して無線ＬＡＮアクセスポイントとして機能させるモードである。
【００２６】
また、中継装置１００は、ＬＥＤ１１６を備え、中継装置１００の動作状態に応じて、その点灯状態が制御される。ＬＥＤ１１６の点灯状態を見ることによって、ユーザは中継装置１００の動作状態を知ることができる。
【００２７】
＜情報通信装置２００のハードウェア構成＞
図３は、本実施形態に係る情報通信装置２００のハードウェア構成図である。図３に示されているように、本実施形態に係る情報通信装置２００は、情報通信装置２００全体の動作を制御するＣＰＵ２０６、及びＣＰＵ２０６の駆動に用いられる情報通信装置用プログラムを記憶したフラッシュメモリ等のメモリ２０８を備える。また、ＣＰＵ２０６の制御にしたがってデータの読み出し又は書き込みを行う不揮発性メモリであれば、フラッシュメモリに限らず、メモリ２０８として、ＥＥＰＲＯＭ等を用いてもよい。さらに、ＣＰＵ２０６には、ＣＰＵ２０６のワークエリアとして使用されるＲＡＭ（図示無し）を内蔵する。
【００２８】
また、情報通信装置２００は、中継装置１００から送信される電波を受信する第３のアンテナ２０２、及び第３のアンテナ２０２と接続され、第３のアンテナ２０２によって受信された電波に同調し、復調する無線ＬＡＮモジュール２０４を備える。無線ＬＡＮモジュール２０４は、中継装置１００から送信される電波を受信する。無線ＬＡＮモジュール２０４は、ＷｉＦｉダイレクトモード、及びＡＰモード等の複数の動作モードのいずれかで、中継装置１００と無線通信を行う。
【００２９】
また、情報通信装置２００は、ＲＦＩＣ２１０、及び第４のアンテナ２１２を備える。ＲＦＩＣ２１０は、無線基地局４００からの無線信号を受信し、ＣＰＵ２０６へ入力する。また、ＲＦＩＣ２１０は、無線信号へＣＰＵ２０６からの信号を変換し、無線基地局４００へ送信する。
【００３０】
＜中継装置１００の機能構成＞
中継装置１００は、押し時間計測部１５２、動作モード設定部１５４、放送波受信部１５６、ＴＳデータフレーム暗号化部１５８、及び無線ＬＡＮ制御部１６０を有している。これら各部は、図２に示されている各構成要素のいずれかが、メモリ１１０からＲＡＭ上に展開された中継装置用プログラムに従ったＣＰＵ１０６からの命令によって動作することで実現される機能、又は機能される手段である。また、これらの各部の少なくとも一部を、ファームウエアに従ったＣＰＵ１０６からの命令によって動作することで実現される機能、又は機能される手段とすることもできる。
【００３１】
＜中継装置１００の各機能構成＞
次に、図２及び図４を用いて、中継装置１００の各機能構成について詳細に説明する。なお、以下では、中継装置１００の各機能構成部を説明するにあたって、図２に示されている各構成要素のうち、中継装置１００の各機能構成部を実現させるための主な構成要素との関係も説明する。
【００３２】
図４に示されている中継装置１００の押し時間計測部１５２は、図２に示されているＣＰＵ１０６からの命令、図２に示されている電源スイッチ１０８によって実現され、中継装置１００の電源がオフの状態から、電源スイッチ１０８の押しボタンが押されたことを検出し、その押しボタンが押され続けられた継続時間を計測する。具体的には、押し時間計測部１５２は、押しボタンが押されたことによって印加される電圧のエッジの立ち上がりを検出した後に、定期的に電源スイッチ１０８に押しボタンが押され続けられているか否かを確認するために、その電圧を検出し、電圧のエッジの立ち下がりを検出した場合にその時間を特定する。そして、押し時間計測部１５２は、押しボタンが押されたことによって印加される電圧のエッジの立ち上がりを検出した時間から、電圧のエッジの立ち下がりを検出した時間までの継続時間を押され続けられた時間として出力する。
【００３３】
また、押し時間計測部１５２は、押しボタンが押されたことによって印加される電圧をモニターし、その電圧の変化に基づいて、押しボタンが押されていないことを検出することもできる。そして、押し時間計測部１５２は、押しボタンが押されたことを検出した時間から、押されていないことを検出した時間までの間を押され続けられた時間として出力する。
【００３４】
図４に示されている中継装置１００の動作モード設定部１５４は、図２に示されているＣＰＵ１０６からの命令によって実現され、押し時間計測部１５２によって計測された押され続けられた時間に基づいて、中継装置１００と情報通信装置２００との間で使用する無線ＬＡＮの動作モードを設定する。具体的には、動作モード設定部１５４は、押し時間計測部１５２から入力される押され続けられた時間が所定の閾値未満の時間である場合にはＷｉＦｉダイレクトモードに設定し、所定の閾値以上の時間である場合にはＡＰモードに設定する。動作モード設定部１５４は、動作モードを表す情報を付帯した制御信号を無線ＬＡＮ制御部１６０へ入力する。
【００３５】
図４に示されている中継装置１００の放送波受信部１５６は、図２に示されているチューナＩＣ１０４、図２に示されているＣＰＵ１０６からの命令によって実現され、放送局３００から送信される放送波を受信し、ＴＳデータフレームを出力する。具体的には、放送波受信部１５６は、情報通信装置２００から無線ＬＡＮ経由で送信されるチャネル周波数、サブチャネルにしたがって、１セグ又は３セグ放送のスキャンを行い、スキャンの結果に応じて、１セグ又は３セグ放送の受信を開始し、ＴＳの復調を行う。また、放送波受信部１５６は、チューナＩＣ１０４の通信状況を情報通信装置２００へ通知する。
【００３６】
図４に示されている中継装置１００のＴＳデータフレーム暗号化部１５８は、図２に示されているＣＰＵ１０６からの命令によって実現され、放送波受信部１５６から出力されるＴＳデータフレームを所定の暗号方式で暗号化する。具体的には、ＴＳデータフレーム暗号化部１５８は、鍵長が１２８ビットであるＡＥＳによって暗号化することができる。この場合、中継装置１００、及び情報通信装置２００との間で暗号キー（共通鍵）の受け渡しが実行され、両装置で暗号キーが管理される。
【００３７】
また、暗号方式として、ＡＥＳ以外にも、ＤＥＳ(Data Encryption Standard)、Ｔｒｉｐｌｅ  ＤＥＳ、ＦＥＡＬ(Fast Data Encipherment Algorithm)、ＩＤＥＡ(International Data Encryption Algorithm)、ＲＣ４(Rivest's Cipher 4)等の共通鍵暗号方式を適用できる。共通鍵暗号方式を適用する場合には、中継装置１００、及び情報通信装置２００との間で暗号キー（共通鍵）の受け渡しが実行され、両装置で暗号キーが管理される。
【００３８】
また、暗号方式として、ＲＳＡ(Rivest Shamir Adleman)、楕円曲線暗号、ElGamal、ＤＳＡ(Digital Signature Algorithm)等の公開鍵暗号方式、ＰＧＰ(Pretty Good Privacy)、Ｓ／ＭＩＭＥ (Secure / Multipurpose Internet Mail Extensions)、ＳＳＬ(Secure Sockets Layer)等のハイブリッド方式を適用できる。
【００３９】
図４に示されている中継装置１００の無線ＬＡＮ制御部１６０は、図２に示されているＣＰＵ１０６からの命令、図２に示されている無線ＬＡＮモジュール１１２によって実現され、動作モード設定部１５４から入力される制御信号に付帯される動作モードを表す情報にしたがって、情報通信装置２００との間で無線ＬＡＮを経由して通信する際に使用する動作モードを設定する。動作モードの設定後、無線ＬＡＮ制御部１６０は、ＴＳデータフレーム暗号化部１５８から入力される、暗号化されたＴＳデータフレームをＵＤＰパケットの形式に変換し、無線ＬＡＮモジュール１１２から送信する。無線ＬＡＮモジュール１１２は、ＵＤＰパケットをＷＰＡ(Wi-Fi Protected Access)、ＷＰＡ２等の暗号化方式で暗号化する。これによって、情報通信装置２００との間の無線区間で、ＵＤＰパケットを暗号化できる。
【００４０】
図５は、中継装置１００の状態遷移を示す。
【００４１】
中継装置１００の状態が、起動時、初期状態、電源オフ、又は低消費電力モードであるときは、ＬＥＤ１１６が消灯するように制御される。この状態で、中継装置１００の電源スイッチ１０８の電源ボタンが押される。電源ボタンが押され続けられた時間が５秒等の所定の閾値未満である場合には、ＬＥＤ１１６が点灯するように制御されるとともに、動作モード設定部１５４はＷｉＦｉダイレクトモードに設定する。ＷｉＦｉダイレクトモードに設定した後、無線ＬＡＮ制御部１６０によってＴＳデータの送信制御が行われている間は、ＬＥＤ１１６が点滅するように制御される。
【００４２】
一方、電源ボタンが押され続けられた時間が５秒等の所定の閾値以上である場合には、ＬＥＤ１１６が長い時間点灯するように制御されるとともに、動作モード設定部１５４はＡＰモードに設定する。ＡＰモードに設定した後、無線ＬＡＮ制御部１６０によってＴＳデータの送信制御が行われている間は、ＬＥＤ１１６が点滅するように制御される。
【００４３】
＜情報通信装置２００の機能構成＞
情報通信装置２００は、無線ＬＡＮ制御部２５２、放送波復号部２５４、及び送受信パケット処理部２５６を有している。これら各部は、図３に示されている各構成要素のいずれかが、メモリ２０８からＲＡＭ上に展開された情報通信装置プログラムに従ったＣＰＵ２０６からの命令によって動作することで実現される機能、又は機能される手段である。また、これらの各部の少なくとも一部を、ファームウエアに従ったＣＰＵ２０６からの命令によって動作することで実現される機能、又は機能される手段とすることもできる。
【００４４】
＜情報通信装置２００の各機能構成＞
次に、図３及び図６を用いて、情報通信装置２００の各機能構成について詳細に説明する。なお、以下では、情報通信装置２００の各機能構成部を説明するにあたって、図３に示されている各構成要素のうち、情報通信装置２００の各機能構成部を実現させるための主な構成要素との関係も説明する。
【００４５】
図６に示されている情報通信装置２００の無線ＬＡＮ制御部２５２は、図３に示されているＣＰＵ２０６からの命令、図３に示されている無線ＬＡＮモジュール２０４によって実現され、中継装置１００の無線ＬＡＮモジュール２０４との間で、中継装置１００によって設定される動作モードで接続処理を行う。接続処理の後、無線ＬＡＮ制御部２５２は、中継装置１００から無線ＬＡＮ経由で送信される電波を受信する。具体的には、無線ＬＡＮ制御部２５２は、中継装置１００に設定された動作モードで情報通信装置２００と接続する。例えば、中継装置１００にＷｉＦｉダイレクトモードが設定された場合には、無線ＬＡＮ制御部２５２は、中継装置１００をサーチし、検出できた中継装置１００のＳＳＩＤ(Service Set Identifier)に接続し、中継装置１００から送信される電波を復調し、出力する。なお、上述では中継装置１００のＳＳＩＤを使用する例を説明したが、中継装置１００と無線ＬＡＮ制御部２５２の間のネゴシエーションによって使用するＳＳＩＤを中継装置１００又は無線ＬＡＮ制御部２５２のどちらが生成するか選択できるようにしてもよい。また、例えば、中継装置１００にＡＰモードが設定された場合には、無線ＬＡＮ制御部２５２は、ＳＳＩＤに基づいて中継装置１００を検出し、中継装置１００から送信される電波を復調し、出力する。ここで、中継装置１００にＷｉＦｉダイレクトモードで接続される情報通信装置と、中継装置１００にＡＰモードで接続される情報通信装置は異なるものである。
【００４６】
図６に示されている放送波復号部２５４は、図３に示されているＣＰＵ２０６からの命令によって実現され、無線ＬＡＮ制御部２５２から出力される信号（暗号化されたＴＳデータフレーム）を復号する。放送波復号部２５４には、中継装置１００との間でやりとりされる暗号キーを使用して、無線ＬＡＮ制御部２５２から入力される信号を復号する。
【００４７】
図６に示されている送受信パケット処理部２５６は、図３に示されているＣＰＵ２０６からの命令によって実現され、無線基地局４００との間で接続処理を行う。また、送受信パケット処理部２５６は、無線基地局４００から送信されるパケットを第４のアンテナ２１２、ＲＦＩＣ２１０を介して受信するとともに、他の情報送信装置へ送信するパケットをＲＦＩＣ２１０、及び第４のアンテナ２１２から送信する。
【００４８】
＜中継装置１００の動作＞
図７は、中継装置１００の動作の一実施例を示す。
【００４９】
ステップＳ７０２では、中継装置１００は、電源がオフの状態である。
【００５０】
ステップＳ７０４では、中継装置１００の押し時間計測部１５２は、電源スイッチ１０８の電源ボタンが押し下げられたことを検出する。
【００５１】
ステップＳ７０６では、中継装置１００の押し時間計測部１５２は、電源スイッチ１０８の電源ボタンが押し下げられていないことを検出する。
【００５２】
ステップＳ７０８では、中継装置１００の押し時間計測部１５２は、電源スイッチ１０８の電源ボタンが押し下げ続けられた時間を計測する。
【００５３】
ステップＳ７１０では、中継装置１００の動作モード設定部１５４は、電源スイッチ１０８の電源ボタンが押し下げ続けられた時間に基づいて、無線ＬＡＮの動作モードを設定する。
【００５４】
これによって、電源スイッチの電源ボタンが押され続けられた時間に応じて、無線ＬＡＮの動作モードを制御することができるため、専用のスイッチを実装することなく、無線ＬＡＮの動作モードを切り替えることができる。これによって、専用のスイッチの実装上の制約がなくなるとともに、コストを低減することができる。
【００５５】
＜無線通信システムの動作（その１）＞
図８は、無線通信システムの動作（その１）の一実施例を示す。図８では、中継装置１００には、電源スイッチ１０８の電源ボタンが押された時間が短いことによって、ＷｉＦｉダイレクトモードに設定される。
【００５６】
ステップＳ８０２では、情報通信装置２００が起動する。
【００５７】
ステップＳ８０４では、情報通信装置２００の無線ＬＡＮ制御部２５２は、ＷｉＦｉダイレクトモードの設定メニューを起動する。
【００５８】
ステップＳ８０６では、中継装置１００の電源スイッチ１０８の電源ボタンが押されることによって電源がオンにされる。
【００５９】
ステップＳ８０８では、中継装置１００が起動する。ここで、電源スイッチ１０８の電源ボタンが押された時間が短いことによって、動作モード設定部１５４は、ＷｉＦｉダイレクトモードに設定する。
【００６０】
ステップＳ８１０では、情報通信装置２００の無線ＬＡＮ制御部２５２は、無線ＬＡＮモジュール１１２のＳＳＩＤへ接続する。
【００６１】
ステップＳ８１２では、情報通信装置２００の無線ＬＡＮ制御部２５２と、中継装置１００の無線ＬＡＮ制御部１６０との間で、ＷｉＦｉダイレクトモードによって接続する。
【００６２】
ステップＳ８１４では、情報通信装置２００の無線ＬＡＮ制御部２５２は、ＷｉＦｉダイレクトモードによる接続を完了する。
【００６３】
ステップＳ８１６では、中継装置１００の無線ＬＡＮ制御部１６０は、ＷｉＦｉダイレクトモードによる接続を完了する。
【００６４】
図８に示されるシーケンスチャートにおいて、このシーケンスチャートに示される順序とは異なる順序で処理されてもよい。例えば、ステップＳ８０２、Ｓ８０４より先にステップＳ８０６、及びＳ８０８の処理が行われてもよい。
【００６５】
＜無線通信システムの動作（その２）＞
図９は、無線通信システムの動作（その２）の一実施例を示す。図９では、中継装置１００には、電源スイッチ１０８の電源ボタンが押された時間が長いことによって、ＡＰモードに設定される。
【００６６】
ステップＳ９０２では、情報通信装置２００が起動する。
【００６７】
ステップＳ９０４では、情報通信装置２００の無線ＬＡＮ制御部２５２は、ＷｉＦｉ接続メニューを起動する。
【００６８】
ステップＳ９０６では、中継装置１００の電源スイッチ１０８の電源ボタンが押されることによって電源がオンにされる。
【００６９】
ステップＳ９０８では、中継装置１００が起動する。ここで、電源スイッチ１０８の電源ボタンが押された時間が長いことによって、動作モード設定部１５４は、ＡＰモードに設定する。
【００７０】
ステップＳ９１０では、情報通信装置２００の無線ＬＡＮ制御部２５２には、ユーザによって選択されるＳＳＩＤ、及びパスワードが入力される。
【００７１】
ステップＳ９１２では、情報通信装置２００の無線ＬＡＮ制御部２５２と、中継装置１００の無線ＬＡＮ制御部１６０との間で、ＷＰＡ又はＷＰＡ２によって接続する。どちらによって接続処理が行われるかは、予め設定することができる。
【００７２】
ステップＳ９１４では、情報通信装置２００の無線ＬＡＮ制御部２５２は、ＡＰモードによる接続を完了する。
【００７３】
ステップＳ９１６では、中継装置１００の無線ＬＡＮ制御部１６０は、ＡＰモードによる接続を完了する。
【００７４】
図９に示されるシーケンスチャートにおいて、このシーケンスチャートに示される順序とは異なる順序で処理されてもよい。例えば、ステップＳ９０２、及びＳ９０４より先にステップＳ９０６、及びＳ９０８の処理が行われてもよい。
【００７５】
＜無線通信システムの動作（その３）＞
図１０は、無線通信システムの動作（その３）の一実施例を示す。図１０では、中継装置１００と情報通信装置２００との間は、ＷｉＦｉダイレクトモード又はＡＰモードによって接続されている。
【００７６】
ステップＳ１００２では、情報通信装置２００と中継装置１００は、接続中である。
【００７７】
ステップＳ１００４では、情報通信装置２００と中継装置１００との間で、暗号化の設定が行われる。具体的には、ＴＳデータフレーム暗号化部１５８と放送波復号部２５４との間で、ディフィー．ヘルマン鍵交換アルゴリズム等の鍵交換アルゴリズムにしたがって暗号キーの受け渡しが行われる。
【００７８】
ステップＳ１００６では、情報通信装置２００をユーザが操作することによって、情報通信装置２００に受信周波数が設定される。
【００７９】
ステップＳ１００８では、情報通信装置２００の無線ＬＡＮ制御部２５２は、ユーザによって設定された受信周波数情報が付帯されたチューナ制御要求を中継装置１００へ送信する。
【００８０】
ステップＳ１０１０では、中継装置１００の無線ＬＡＮ制御部１６０は、情報通信装置２００から送信されるチューナ制御要求を受信すると、放送波受信部１５６へ入力する。放送波受信部１５６は、無線ＬＡＮ制御部１６０によって入力されたチューナ制御要求に付帯される受信周波数情報によって表される受信周波数にしたがって、チューナＩＣを制御する。
【００８１】
ステップＳ１０１２では、中継装置１００の放送波受信部１５６は、チューナＩＣ１０４による受信周波数等のチューナの通信状況を付帯したチューナ状況応答を無線ＬＡＮ制御部１６０から情報通信装置２００へ送信する。
【００８２】
ステップＳ１０１４では、情報通信装置２００は、中継装置１００から送信されるチューナ状況応答を受信すると、そのチューナ状況応答に付帯されるチューナの通信状況をユーザインタフェース(user interface:UI)に表示する。
【００８３】
ステップＳ１０１６では、中継装置１００のＴＳデータフレーム暗号化部１５８は、放送波受信部１５６から入力されるＴＳデータフレームを暗号化する。
【００８４】
ステップＳ１０１８では、中継装置１００の無線ＬＡＮ制御部１６０は、暗号化したＴＳデータフレームを送信する。
【００８５】
ステップＳ１０２０では、情報通信装置２００の放送波復号部２５４は、中継装置１００から送信される、暗号化したＴＳデータフレームを復号する。
【００８６】
ステップＳ１０２２では、中継装置１００の放送波受信部１５６は、チューナＩＣ１０４による受信周波数等のチューナの通信状況を付帯したチューナ状況応答を無線ＬＡＮ制御部１６０から情報通信装置２００へ送信する。
【００８７】
ステップＳ１０２４では、情報通信装置２００は、中継装置１００から送信されるチューナ状況応答を受信すると、そのチューナ状況応答に付帯されるチューナの通信状況をＵＩに表示する。
【００８８】
図１０に示されるシーケンスチャートにおいて、このシーケンスチャートに示される順序とは異なる順序で処理されてもよい。例えば、ステップＳ１０１４の後にステップＳ１００４の処理が行われてもよい。
【００８９】
無線通信装置の一実施例では、電源スイッチの電源ボタンが押され続けられた時間に応じて、無線ＬＡＮの動作モードを制御するようにしたことによって、専用のスイッチを実装することなく、無線ＬＡＮの動作モードを切り替えることができる。これによって、専用のスイッチの実装上の制約がなくなるとともに、コストを低減することができる。
【００９０】
また、中継装置１００は、情報通信装置２００にＷｉＦｉダイレクトモード又はＡＰモードによって接続できる。これによって、ＡＰモードで中継装置１００と接続した状態で移動体通信網を介した通信ができる情報通信装置のユーザは、無線ＬＡＮを経由して送信される放送波によるＶ−ＬＯＷマルチメディア放送を楽しみながら、移動体通信網を経由してインターネット等のネットワークに接続できる。
【００９１】
また、ＷｉＦｉダイレクトモードで中継装置１００と接続した状態で移動体通信網を介した通信ができる情報通信装置のユーザは、無線ＬＡＮを経由して送信される放送波によるＶ−ＬＯＷマルチメディア放送を楽しみながら、移動体通信網を経由してインターネット等のネットワークに接続できる。
【００９２】
また、中継装置１００は、無線区間における暗号化に加え、放送局から送信されるＴＳデータフレーム自体を暗号化できることによって、よりセキュリティを高めることができる。
【００９３】
なお、上述した実施例では、電源スイッチの電源ボタンが押され続けられた時間に応じて、ＷｉＦｉダイレクトモードとＡＰモードとの間で無線ＬＡＮの動作モードを切り替える例について説明したが、この例に限らず、さらに、アドホックモード、インフラストラクチャモード等の他の動作モードへも適用できる。また、動作モードを切り替える対象も２つの動作モードに限らず、３以上へも適用できる。
【００９４】
また、動作モードを切り替える対象は、無線ＬＡＮに限らず、複数の動作モードで動作する通信方式に適用できる。
【００９５】
本発明は特定の実施例、変形例を参照しながら説明されてきたが、各実施例、変形例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【００９６】
１００  中継装置
１０２  第１のアンテナ
１０４  チューナＩＣ
１０６  ＣＰＵ
１０８  電源スイッチ
１１０  メモリ
１１２  無線ＬＡＮモジュール
１１４  第２のアンテナ
１１６  ＬＥＤ
１５２  押し時間計測部
１５４  動作モード設定部
１５６  放送波受信部
１５８  ＴＳデータフレーム暗号化部
１６０  無線ＬＡＮ制御部
２００  情報通信装置
２０２  第３のアンテナ
２０４  無線ＬＡＮモジュール
２０６  ＣＰＵ
２０８  メモリ
２１０  ＲＦＩＣ
２１２  第４のアンテナ
２５２  無線ＬＡＮ制御部
２５４  放送波復号部
２５６  送受信パケット処理部
３００  放送局
４００  無線基地局
５００  ネットワーク
【図１】
2016015635.tif 000003
【図２】
2016015635.tif 000004
【図３】
2016015635.tif 000005
【図４】
2016015635.tif 000006
【図５】
2016015635.tif 000007
【図６】
2016015635.tif 000008
【図７】
2016015635.tif 000009
【図８】
2016015635.tif 000010
【図９】
2016015635.tif 000011
【図１０】
2016015635.tif 000012